(57)【要約】【目的】  敵の弾道ミサイル攻撃を完全に阻止、爆破すること。【構成】    現用の迎撃ミサイル・パトリオットの弾頭の先端に、敵の弾道ミサイル捕捉爆破用防御網を折り畳んで追加装備した迎撃ミサイルを、敵の弾道ミサイル発射基地近傍の国境付近または海上から、予想される敵の弾道ミサイルの飛行コースの前方に打ち上げ、敵の弾道ミサイル捕捉爆破用防御網を開傘展開して待機させ、敵の弾道ミサイルが飛来してこの防御網に接触すれば、防御網の全面に装備してある太陽電池の電極から高電圧大電流の巨大なアーク放電が、敵の弾道ミサイルに残っているロケット燃料に引火爆発させることを基本方式とし、この方式を２段〜３段に配備することによって、敵の弾道ミサイルの攻撃意図を完全に粉砕せしめ、多弾頭弾道ミサイルをも一網打尽にする。【選択図】  図１
2005090932.tif 000002
【特許請求の範囲】
【請求項１】
現用の迎撃ミサイル・パトリオットの弾頭の先端に、敵の弾道ミサイル捕捉爆破用防御網を折り畳んで追加装備した迎撃ミサイルを、敵の弾道ミサイル発射基地近傍の国境付近または海上から、予想される敵の弾道ミサイルの飛行コースの前方に打ち上げ、敵の弾道ミサイル捕捉爆破用防御網を開傘展開して待機させ、敵の弾道ミサイルが飛来してこの防御網に接触すれば、防御網の全面に装備してある太陽電池の電極から高電圧大電流の巨大なアーク放電が、敵の弾道ミサイルに残っているロケット燃料に引火爆発させることを基本方式とする、この方式を２段〜３段に配備することによって、敵の弾道ミサイルの攻撃意図を完全に粉砕せしめ、多弾頭弾道ミサイルをも一網打尽にすることを特徴とする、現用の迎撃ミサイル・パトリオットの弾頭の先端に、敵の弾道ミサイル捕捉爆破用防御網を追加装備した迎撃ミサイル。
【発明の詳細な説明】
【発明の詳細な説明】
【技術分野】
【０００１】  本発明は、敵の弾道ミサイル攻撃から祖国を守る軍事機密に属し、一般に公開すべきではなく、しかも緊急を要する簡単な技術にも拘らず効果が絶大なので、速やかに防衛技術研究所等と協議し、速やかなる防衛体制の整備を要望する。
【背景技術】
【０００２】  従来、敵のミサイル攻撃に対しては、パトリオット迎撃ミサイルなどによって敵の弾道ミサイルを撃ち落とすという方法がとられてきたが、これでは敵の発射した弾丸を撃ち落とすようなもので、過度に高度な技術が要請され、至難の業であった。
【出願が解決しようとする課題】
【０００３】  飛来する敵の弾道ミサイルを防御網によって一網打尽に捕捉爆破消滅せしめ、敵の攻撃意図を完全に消滅せしめる。なお、１段だけで不十分な場合いは、この防御網を２段〜３段と配備して防御の完全を期す。
【課題を解決するための手段】
【０００４】（１）迎撃時期と地点の判定
敵の弾道ミサイル発射地点については、国際情勢の推移、外交交渉の過程等の種々の情報、宇宙監視衛星の監視情報等によって、事前に容易に判定できる。
（２）敵の弾道ミサイルを捕捉爆破する方法
現用の迎撃ミサイル・パトリオットの弾頭の先端に、敵の弾道ミサイル捕捉爆破用防御網を折り畳んで追加装備した迎撃ミサイルを、敵の弾道ミサイル発射基地近傍の国境付近または海上から、予想される敵の弾道ミサイルの飛行コースの前方に打ち上げ、敵の弾道ミサイル捕捉爆破用防御網を開傘展開して待機させ、敵の弾道ミサイルが飛来してこの防御網に接触すれば、防御網の全面に装備してある太陽電池の電極から高電圧大電流の巨大なアーク放電によって、敵の弾道ミサイルに残っているロケット燃料に引火爆発させることを基本方式とし、この方式を２段〜３段に配備することによって、敵の弾道ミサイルの攻撃意図を完全に阻止し、多弾頭弾道ミサイルをも一網打尽にする。
【発明を実施するための最良の形態】
【０００５】  次に、本発明の実施の形態を図面によって説明する。
【図１】
は本発明の防御網方式弾道ミサイル迎撃概念図で、敵の弾道ミサイル発射基地１から弾道ミサイルが発射されれば、宇宙監視衛星５から味方の迎撃ミサイル発射基地２に通報され、その通報内容によって宇宙空間コース６または大気圏コース７に向かって、
【図２】
の迎撃ミサイル・パトリオット１３が発射され、それぞれの所定高度に到達すれば、迎撃ミサイルに付加設置した弾道ミサイル迎撃防御網１５が開傘展開し、敵の弾道ミサイルの進行を阻止し、防御網の全面に設置している
【図３】
の太陽電池１６の放電電極１８に敵の弾道ミサイルの金属部分が接触して巨大なアーク放電１９が発生し、このアーク放電が、敵の弾道ミサイルに残っている姿勢制御用ロケット燃料に引火し爆発させて、弾道ミサイルの機能を停止させてしまう。
太陽電池１６の宇宙空間における起電力は１平方メートル当たり１キロワットといわれ、弾道ミサイル防御網の展開面積を１００平方メートルとすれば、その発生電力は１００キロワットという膨大な電力となり、この太陽電池の接続を直列接続と並列接続に適当に接続すれば、相当な高電圧と大電流が得られ、容易に巨大なアーク放電が発生し、これだけでも敵の弾道ミサイルは無用の長物と化すであろう。
【図４】
は発泡ポリエチレン２０に主体を置いた防御網の断面を示し、防御網の表側には太陽電池基盤２１及びアーク放電電極２２の設置状況を示す。防御網の裏側に発泡ポリエチレン層を設置するが、この理由は、敵の弾道ミサイルに防御網が簡単に突き破られないよう、ある程度の抵抗を持たしめるためである。この発泡ポリエチレンは、防御網を折り畳んでいる時には発泡ポリエチレン粒子と発泡剤は別々に分けておき、防御網を展開した時にこの両者を混合して発泡ポリエチレン層を形成させる。この混合は宇宙空間は真空無重力地帯であるから、発泡ポリエチレンの収納袋が容易に膨らみ、発泡ポリエチレン粒子と発泡剤が吸い込まれ容易に混合する。
なお、発泡ポリエチレン層に小型の鉄片を混合させてもよいが、重量増加の欠点がある。
また、防御網８は宇宙空間の静止衛星のような形で、防御網を宇宙空間に待機させ、敵の弾道ミサイルが発射された場合に、少し場所を変えるだけで敵の弾道ミサイル飛来コースに移動できるようにしたものである。
以上のように、防御網による敵の弾道ミサイルを阻止する方法は、もし１段で不十分な場合は２段、３段と、あるいはまた海上からの迎撃ミサイル１２と配備を強化すれば、殆ど完全に敵の弾道ミサイルを阻止できるであろう。このようにして、相手に核開発阻止を要請するだけでなく、自らも完全なミサイル防衛阻止能力を整備強化することによって、相手の核開発やミサイル開発意欲を完全に喪失させることも重要である。
【発明の効果】
【０００６】  専守防衛を旨とするわが国においては、敵のミサイル攻撃を完全に阻止することは極めて重要である。従ってこの関係の方々も必死に研究を続けておられると思うが、従来のパトリオット迎撃ミサイルの方式は発射されたピストルの弾丸を撃ち落とすような方式が主体のように思われ、これでは過度に高度な性能が要求されるように思う。
そこで昔戦争中に考えたアイディアを思い出し、参考までに提言する次第である。それは来襲する敵の戦闘機群が余りにも多いため、大きな網で敵の戦闘機群を一網打尽にする方法だった。しかしこんなことは敵側に簡単に見破られ、殆ど成功の可能性は少なかったので実現には至らなかった。しかし現代のミサイルに対しては最適の方法で、ピストルの弾を撃ち落とすよりもはるかに優れた方法である。  本発明では防衛網の全面に太陽電池を配備したが、ミサイルの飛行速度は猛烈に早いので、こんな面倒なことをしなくとも弾道ミサイルを阻止することは可能であろう。
また現代はピンポイント攻撃が常識の時代であるから、敵の弾道ミサイルを迎撃するに際しても、迎撃ミサイルの弾頭に撮像管を装備して、敵の弾道ミサイルを目視しながら迎撃すべきであろう。
いずれにしてもこうした防御網方式は極めて簡単な構造であり、効果も確実なので、この方式を２段、３段と配備すれば、殆と確実に敵のミサイル攻撃が阻止されるので、外交交渉の過程においてこのことを敵側に通知すれば、核拡散やミサイル開発がいかに無駄なことかを悟らしめることとなり、外交交渉も極めて有利に展開できるであろう。
【図面の簡単な説明】
【図１】  防御網方式弾道ミサイル迎撃概念図。
【図２】  弾道ミサイル迎撃防御網概念図。
【図３】  太陽電池結線図
【図４】  発泡ポリエチレン層概念図。
【符号の説明】
１、敵の弾道ミサイル発射基地
２、味方の迎撃ミサイル発射基地
３、宇宙空間コースに展開した防御網
４、大気圏コースに展開した防御網
５、宇宙監視衛星
６、宇宙空間コース
７、大気圏コース
８、宇宙空間に待機させた防御網
９、宇宙空間コースの第２段階防御網
１０  宇宙空間コースの第３段階防御網、
１１、海上船舶の迎撃ミサイル発射基地
１２、海上から発射された大気圏コースの防御網
１３、現用迎撃ミサイル本体
１４、国境線
１５、展開した防御網
１６、太陽電池直列接続
１７、太陽電池並列接続
１８、太陽電池のアーク放電電極
１９、アーク放電
２０、発泡ポリエチレン層
２１、太陽電池基盤
２２、太陽電池のアーク放電電極
【図１】
2005090932.tif 000003
【図２】
2005090932.tif 000004
【図３】
2005090932.tif 000005
【図４】
2005090932.tif 000006